(57)【特許請求の範囲】
【請求項１】
通話アプリケーションがインストールされた携帯端末が、中継装置および通話制御サーバを介して固定電話回線と接続することにより、上記携帯端末をコードレス電話の子機として使用することを可能にしたコードレス電話システムにおいて、当該コードレス電話システムの動作環境を設定する動作環境設定システムであって、
上記携帯端末は、
上記携帯端末と上記中継装置との間を第１の無線規格で無線接続するために必要な第１の動作環境設定情報を記録した媒体を読み取る読取部と、
上記読取部により読み取られた媒体を解析し、上記第１の無線規格による無線接続の設定に必要な上記第１の動作環境設定情報を取得して上記携帯端末に設定する第１の端末側動作環境設定部と、
上記携帯端末および上記中継装置が上記通話制御サーバに第２の無線規格で接続して通話をするために必要な第２の動作環境設定情報を生成する設定情報生成部と、
上記設定情報生成部により生成された上記第２の動作環境設定情報を上記携帯端末に設定するとともに、上記第２の動作環境設定情報を上記通話制御サーバに送信して登録する第２の端末側動作環境設定部と、
上記第１の端末側動作環境設定部により設定された無線接続を利用して、上記設定情報生成部により生成された上記第２の動作環境設定情報を上記中継装置に送信する設定情報送信部とを備え、
上記中継装置は、
上記携帯端末の上記第１の端末側動作環境設定部により上記第１の無線規格による無線接続の設定が行われる際に、上記携帯端末から上記第１の動作環境設定情報を取得して上記中継装置に設定する第１の中継側動作環境設定部と、
上記設定情報送信部により送信された上記第２の動作環境設定情報を受信する設定情報受信部と、
上記設定情報受信部により受信された上記第２の動作環境設定情報を上記中継装置に設定するとともに、上記第２の動作環境設定情報を上記通話制御サーバに送信して登録する第２の中継側動作環境設定部とを備えたことを特徴とする動作環境設定システム。
【請求項２】
上記携帯端末は、
上記第２の無線規格で無線接続するために必要な第３の動作環境設定情報を記憶した設定情報記憶部と、
上記第１の端末側動作環境設定部により設定された無線接続を利用して、上記設定情報記憶部に記憶されている上記第３の動作環境設定情報を上記中継装置に送信する第２の設定情報送信部とを更に備え、
上記中継装置は、
上記第２の設定情報送信部により送信された上記第３の動作環境設定情報を受信する第２の設定情報受信部と、
上記第２の設定情報受信部により受信された上記第３の動作環境設定情報を上記中継装置に設定する第３の中継側動作環境設定部とを更に備え、
上記中継装置の上記第２の中継側動作環境設定部は、上記第３の中継側動作環境設定部による上記第３の動作環境設定情報の設定に基づいて設定された上記第２の無線規格による無線接続を利用して、上記設定情報受信部により受信された上記第２の動作環境設定情報を上記通話制御サーバに送信して登録することを特徴とする請求項１に記載の動作環境設定システム。
【請求項３】
上記読取部は、上記第１の動作環境設定情報を記録した媒体としてコードまたはタグを読み取り、
上記携帯端末は、
上記設定情報生成部により生成された上記第２の動作環境設定情報を記録した第２のコードを生成するコード生成部と、
上記コード生成部により生成された上記第２のコードを読み取る第２のコード読取部と、
上記第２のコード読取部により読み取られた上記第２のコードを解析し、上記第２の動作環境設定情報を取得して上記携帯端末に設定するとともに、上記第２の動作環境設定情報を上記通話制御サーバに送信して登録する第３の端末側動作環境設定部とを備え、
上記第２の動作環境設定情報を設定済みの上記携帯端末が備える上記コード生成部により生成された上記第２のコードを、上記第２の動作環境設定情報が未設定の上記携帯端末が備える上記第２のコード読取部により読み取ることにより、上記第２の動作環境設定情報が未設定の上記携帯端末が備える上記第３の端末側動作環境設定部により、上記第２のコードを解析して上記第２の動作環境設定情報を上記携帯端末に設定するとともに、上記第２の動作環境設定情報を上記通話制御サーバに送信して登録するようになされたことを特徴とする請求項１または２に記載の動作環境設定システム。
【請求項４】
上記携帯端末の上記設定情報生成部は、上記第１の端末側動作環境設定部により設定された無線接続を利用して、上記中継装置に固有の識別情報を上記中継装置から取得し、当該識別情報を暗号化して上記第２の動作環境設定情報を生成することを特徴とする請求項１〜３の何れか１項に記載の動作環境設定システム。
【請求項５】
上記第１の動作環境設定情報は、上記携帯端末と上記中継装置との間をブルートゥースで無線接続するための設定に必要な情報であることを特徴とする請求項１〜３の何れか１項に記載の動作環境設定システム。
【請求項６】
上記第３の動作環境設定情報は、上記中継装置を無線ＬＡＮに接続するための設定に必要な情報であることを特徴とする請求項２に記載の動作環境設定システム。
【請求項７】
中継装置と、通話アプリケーションがインストールされた携帯端末とを備え、上記携帯端末が上記中継装置および通話制御サーバを介して固定電話回線と接続することにより、上記携帯端末をコードレス電話の子機として使用することを可能にしたコードレス電話システムにおいて、上記携帯端末に実装される動作環境設定用プログラムであって、
上記携帯端末と上記中継装置との間を第１の無線規格で無線接続するために必要な第１の動作環境設定情報を記録した媒体を読み取る読取手段、
上記読取手段により読み取られた媒体を解析し、上記第１の無線規格による無線接続の設定に必要な上記第１の動作環境設定情報を取得して上記携帯端末に設定する第１の端末側動作環境設定手段、
上記携帯端末および上記中継装置が上記通話制御サーバに第２の無線規格で接続して通話をするために必要な第２の動作環境設定情報を生成する設定情報生成手段、
上記設定情報生成手段により生成された上記第２の動作環境設定情報を上記携帯端末に設定するとともに、上記第２の動作環境設定情報を上記通話制御サーバに送信して登録する第２の端末側動作環境設定手段、および
上記第１の端末側動作環境設定手段により設定された無線接続を利用して、上記設定情報生成手段により生成された上記第２の動作環境設定情報を上記中継装置に送信する設定情報送信手段
として上記携帯端末のコンピュータを機能させるためのコンピュータ読み取り可能な動作環境設定用プログラム。
【請求項８】
中継装置と、通話アプリケーションがインストールされた携帯端末とを備え、上記携帯端末が上記中継装置および通話制御サーバを介して固定電話回線と接続することにより、上記携帯端末をコードレス電話の子機として使用することを可能にしたコードレス電話システムにおいて、上記中継装置に実装され、上記携帯端末に実装された請求項７に記載のプログラムと連携して動作する動作環境設定用プログラムであって、
上記携帯端末の上記第１の端末側動作環境設定手段により上記第１の無線規格による無線接続の設定が行われる際に、上記携帯端末から上記第１の動作環境設定情報を取得して上記中継装置に設定する第１の中継側動作環境設定手段、
上記設定情報送信手段により送信された上記第２の動作環境設定情報を受信する設定情報受信手段、および
上記設定情報受信手段により受信された上記第２の動作環境設定情報を上記中継装置に設定するとともに、上記第２の動作環境設定情報を上記通話制御サーバに送信して登録する第２の中継側動作環境設定手段
として上記中継装置のコンピュータを機能させるためのコンピュータ読み取り可能な動作環境設定用プログラム。
【請求項９】
通話アプリケーションのインストールされた携帯端末が中継装置および通話制御サーバを介して固定電話回線と接続することにより、上記携帯端末をコードレス電話の子機として使用することを可能にしたコードレス電話システムに用いられる上記携帯端末であって、
上記携帯端末と上記中継装置との間を第１の無線規格で無線接続するために必要な第１の動作環境設定情報を記録した媒体を読み取る読取部と、
上記読取部により読み取られた媒体を解析し、上記第１の無線規格による無線接続の設定に必要な上記第１の動作環境設定情報を取得して上記携帯端末に設定する第１の端末側動作環境設定部と、
上記携帯端末および上記中継装置が上記通話制御サーバに第２の無線規格で接続して通話をするために必要な第２の動作環境設定情報を生成する設定情報生成部と、
上記設定情報生成部により生成された上記第２の動作環境設定情報を上記携帯端末に設定するとともに、上記第２の動作環境設定情報を上記通話制御サーバに送信して登録する第２の端末側動作環境設定部と、
上記第１の端末側動作環境設定部により設定された無線接続を利用して、上記設定情報生成部により生成された上記第２の動作環境設定情報を上記中継装置に送信する設定情報送信部とを備えたことを特徴とする携帯端末。
【請求項１０】
通話アプリケーションのインストールされた携帯端末が中継装置および通話制御サーバを介して固定電話回線と接続することにより、上記携帯端末をコードレス電話の子機として使用することを可能にしたコードレス電話システムに用いられ、請求項９に記載の上記携帯端末と連携して動作する中継装置であって、
上記携帯端末の上記第１の端末側動作環境設定部により上記第１の無線規格による無線接続の設定が行われる際に、上記携帯端末から上記第１の動作環境設定情報を取得して上記中継装置に設定する第１の中継側動作環境設定部と、
上記設定情報送信部により送信された上記第２の動作環境設定情報を受信する設定情報受信部と、
上記設定情報受信部により受信された上記第２の動作環境設定情報を上記中継装置に設定するとともに、上記第２の動作環境設定情報を上記通話制御サーバに送信して登録する第２の中継側動作環境設定部とを備えたことを特徴とする中継装置。
【発明の詳細な説明】
【技術分野】
【０００１】
本発明は、動作環境設定システム、携帯端末、中継装置および動作環境設定用プログラムに関し、特に、スマートフォン等の携帯端末をコードレス電話の子機として利用することを可能にしたコードレス電話システムの動作環境を設定するためのシステムに用いて好適なものである。
【背景技術】
【０００２】
従来、固定電話の子機としてスマートフォンを利用するための技術が知られている（例えば、特許文献１参照）。特許文献１には、ＳＩＰ（Session Initiation Protocol）クライアントアプリケーションに関する技術が開示されている。ＳＩＰクライアントアプリケーションは、スマートフォン上で動作するアプリケーションであり、ホームゲートウェイなどの回線終端装置に内蔵されるＳＩＰ制御部に、ＳＩＰ端末としてスマートフォンを内線収容し、そのスマートフォンで、発信、着信、通話などを行えるようにしたものである。【０００３】
このＳＩＰクライアントアプリケーションが動作するスマートフォンは、ＳＩＰ制御部に内線電話の子機として登録される。ＳＩＰ制御部は、着信があった場合にスマートフォン上のＳＩＰクライアントアプリケーションに着信信号を伝達する。着信信号を受け取ったＳＩＰクライアントアプリケーションは、着信をユーザに提示し、ユーザは通話を開始する。このようにスマートフォンを子機として使用するためには、スマートフォンにＳＩＰクライアントアプリケーションをインストールし、ＳＩＰ制御部に対して各種の必要な設定を行う必要がある。【０００４】
【特許文献１】特開２０１４−３３６３号公報
【発明の開示】
【０００５】
しかしながら、従来の技術では、ＳＩＰ制御部に対する各種の設定をユーザが手動で行う必要がある。そのため、設定のための作業をユーザが行わなければならず、面倒であるという問題があった。また、ＳＩＰの設定に関する十分な知識を持たないユーザにとっては、設定を行うことが難しいという問題もあった。
【０００６】
本発明は、このような問題を解決するために成されたものであり、スマートフォン等の携帯端末をコードレス電話の子機として利用するために必要な設定を自動的に行うことができるようにすることを目的とする。
【０００７】
上記した課題を解決するために、本発明では、携帯端末と中継装置との間を第１の無線規格で無線接続するために必要な第１の動作環境設定情報を記録したコードを携帯端末において読み取って解析し、第１の動作環境設定情報を携帯端末および中継装置に設定する。また、携帯端末および中継装置が通話制御サーバに第２の無線規格で接続するために必要な第２の動作環境設定情報を携帯端末において生成し、生成した第２の動作環境設定情報を携帯端末に設定するとともに、当該第２の動作環境設定情報を通話制御サーバに送信して登録する。さらに、上記のように設定した無線接続を利用して、上記生成した第２の動作環境設定情報を携帯端末から中継装置に送信し、当該中継装置に第２の動作環境設定情報を設定するとともに、当該第２の動作環境設定情報を通話制御サーバに送信して登録する。
【０００８】
上記のように構成した本発明によれば、コードの読取装置を備えた携帯端末でコードを読み取れば、そのコードの読み取りによって携帯端末と中継装置との間で第１の無線規格による無線接続の設定が自動的に行われる。さらに、設定された無線接続を利用して、携帯端末および中継装置が通話制御サーバに第２の無線規格で接続するために必要な設定が引き続き自動的に行われる。これにより、中継装置および通話制御サーバを介して携帯端末をコードレス電話の子機として利用するために必要な設定を自動的に行うことができる。
【図面の簡単な説明】
【０００９】
【図１】第１の実施形態による動作環境設定システムを含むコードレス電話システムの概略構成を示す図である。
【図２】第１の実施形態による動作環境設定システムを構成する携帯端末および中継装置の機能構成例を示すブロック図である。
【図３】第１の実施形態による携帯端末の動作例を示すフローチャートである。
【図４】第１の実施形態による中継装置の動作例を示すフローチャートである。
【図５】第２の実施形態による動作環境設定システムを構成する携帯端末および中継装置の機能構成例を示すブロック図である。
【図６】第２の実施形態による携帯端末の動作例を示すフローチャートである。
【図７】第２の実施形態による中継装置の動作例を示すフローチャートである。
【図８】第３の実施形態による動作環境設定システムを含むコードレス電話システムの概略構成を示す図である。
【図９】第３の実施形態による動作環境設定システムを構成する携帯端末および中継装置の機能構成例を示すブロック図である。
【発明を実施するための最良の形態】
【００１０】
（第１の実施形態）
以下、本発明による第１の実施形態を図面に基づいて説明する。図１は、第１の実施形態による動作環境設定システムを含むコードレス電話システムの概略構成を示す図である。【００１１】
図１に示すように、第１の実施形態による動作環境設定システム１００は、携帯端末１０および中継装置２０を備え、コード３０の読み取りによってコードレス電話システムの動作環境を自動的に設定できるようにしたものである。第１の実施形態において設定する動作環境は、携帯端末１０と中継装置２０との間のブルートゥース接続、および、ＳＩＰサーバ４１に登録すべきＳＩＰ登録情報に関するものである。【００１２】
なお、第１の実施形態において動作環境を設定する対象のコードレス電話システムは、通話アプリケーションがインストールされた携帯端末１０が、中継装置２０および通話制御サーバ４００を介して固定電話回線３００と接続することにより、携帯端末１０をコードレス電話の子機として使用することを可能にしたシステムである。【００１３】
携帯端末１０は、例えばスマートフォンやタブレットであり、ブルートゥースによる無線通信機能と、Ｗｉ−Ｆｉ等の無線ＬＡＮによる無線通信機能とを有している。また、携帯端末１０はカメラを備え、コード３０の読み取りを行うことが可能である。【００１４】
第１の実施形態において、携帯端末１０には、無線ルータ２００を介して無線ＬＡＮにより無線通信をするために必要な情報が既に設定されているものとする。すなわち、無線ＬＡＮの接続に必要な接続設定情報（ＳＳＩＤ、暗号モード、パスワードなど）が、無線ルータ２００のプロファイルとして携帯端末１０に登録済みである。この無線ＬＡＮの接続設定は、ユーザが手動で行うことが可能である。【００１５】
中継装置２０は、ブルートゥースによる無線通信機能と、Ｗｉ−Ｆｉ等の無線ＬＡＮによる無線通信機能とを有している。ただし、中継装置２０はカメラやコードリーダを備えていない。なお、この中継装置２０にも、無線ルータ２００を介して無線ＬＡＮにより無線通信をするために必要な情報が設定されているものとする。中継装置２０は、固定電話回線３００と接続されている。【００１６】
中継装置２０には、コード３０が貼付または印刷されている。このコード３０は、一例としてはバーコードまたは二次元コードであるが、これに限定されない。すなわち、情報を一定の規則に従い変換したもので、カメラやコードリーダ等の読取装置が読み取りやすいデジタル情報として入出力できるようにしたものであれば、バーコードまたは二次元コード以外の形態のコードでもよい。【００１７】
本実施形態において、コード３０には、携帯端末１０と中継装置２０との間をブルートゥース（第１の無線規格）で無線接続するための設定に必要な情報（第１の動作環境設定情報）が記録されている。ここで、第１の動作環境設定情報は、中継装置２０の名称やシリアル番号等を含む情報である。携帯端末１０がこれらの情報を取得して設定することにより、中継装置２０との間でブルートゥースの接続設定（ペアリング）が行われるようになっている。【００１８】
通話制御サーバ４００は、ＳＩＰを利用したＩＰ電話の管理・制御を行うサーバであり、ＳＩＰサーバ４１およびＰＵＳＨサーバ４２を備えて構成されている。ＳＩＰサーバ４１は、固定電話回線３００と携帯端末１０との間で発呼情報の仲介を行う。ＰＵＳＨサーバ４２は、ＳＩＰサーバ４１からのメッセージ送信要求に応じて、携帯端末１０に対してコールバックの要求メッセージを送信する。【００１９】
具体的には、発信者から固定電話回線３００を通じて電話がかけられた場合、固定電話回線３００から中継装置２０および無線ルータ２００を介してＳＩＰサーバ４１に着信通知信号が送られる。この着信通知信号を受けたＳＩＰサーバ４１は、着信回線をいったん保留状態とし、ＰＵＳＨサーバ４２にメッセージ送信要求を供給する。【００２０】
ＰＵＳＨサーバ４２は、ＳＩＰサーバ４１からメッセージ送信要求を受けると、携帯端末１０にアクセスしてコールバック要求信号を送信する。ＳＩＰサーバ４１は、このコールバック要求信号に応じて携帯端末１０によって行われるコールバックを受けて、保留にしておいた着信回線と接続する。これにより、携帯端末１０を固定電話回線３００と接続して通話可能な状態を設定する。【００２１】
第１の実施形態では、携帯端末１０および中継装置２０がＳＩＰサーバ４１と無線ＬＡＮ（第２の無線規格）で無線接続して通話をするための設定に必要な情報（第２の動作環境設定情報）を自動的に設定するようにしている。ここで設定する第２の動作環境設定情報は、携帯端末１０および中継装置２０がＳＩＰサーバ４１と接続する際に使用するパスワードである。【００２２】
すなわち、第１の実施形態では、上述のように携帯端末１０と中継装置２０との間で第１の動作環境設定情報を用いたブルートゥースの接続設定（ペアリング）を行った後に、当該ブルートゥースを利用したデータのやり取りを通じて、第２の動作環境設定情報を携帯端末１０、中継装置２０およびＳＩＰサーバ４１に自動的に登録するようにしている。【００２３】
図２は、第１の実施形態による動作環境設定システム１００を構成する携帯端末１０および中継装置２０の機能構成例を示すブロック図である。なお、図２では、コードレス電話システムの動作環境を設定することに関する主要な機能構成のみを図示している。【００２４】
図２に示すように、携帯端末１０は、その機能構成として、コード読取部１、第１の端末側動作環境設定部２、固有情報受信部３、設定情報生成部４、第２の端末側動作環境設定部５および設定情報送信部６を備えている。また、中継装置２０は、その機能構成として、第１の中継側動作環境設定部２１、固有情報送信部２２、設定情報受信部２３および第２の中継側動作環境設定部２４を備えている。【００２５】
携帯端末１０の各機能ブロック１〜６は、例えば、当該携帯端末１０にインストールされた通話アプリケーションによって構成される。この場合、上記各機能ブロック１〜６は、実際にはコンピュータのＣＰＵ、ＲＡＭ、ＲＯＭなどを備えて構成され、ＲＡＭやＲＯＭ、ハードディスクまたは半導体メモリ等の記録媒体に記憶された通話アプリケーションのプログラムが動作することによって実現される。なお、機能ブロック１〜６の一部または全部を、ハードウェアまたはＤＳＰ（Digital Signal Processor）によって構成することも可能である。【００２６】
また、中継装置２０の各機能ブロック２１〜２４は、ハードウェア、ＤＳＰ、ソフトウェアの何れによっても構成することが可能である。例えばソフトウェアによって構成する場合、上記各機能ブロック２１〜２４は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。【００２７】
携帯端末１０のコード読取部１は、特許請求の範囲の読取部に相当するものであり、携帯端末１０が備えるカメラ（図示せず）を通じて、中継装置２０に貼付または印刷されたコード３０（媒体の一例）を読み取るものである。【００２８】
携帯端末１０の第１の端末側動作環境設定部２は、コード読取部１により読み取られたコード３０を解析し、ブルートゥースによる無線接続（ペアリング）の設定に必要な第１の動作環境設定情報（中継装置２０の名称やシリアル番号等を含む情報）を取得して、これを携帯端末１０に設定する。【００２９】
また、第１の端末側動作環境設定部２は、中継装置２０が携帯端末１０との間でブルートゥースによる無線接続（ペアリング）の設定を行うのに必要な情報（携帯端末１０の名称やシリアル番号等を含む情報）を中継装置２０に送信する。このように、携帯端末１０と中継装置２０との双方に必要な情報を設定することにより、ブルートゥースのペアリングが行われる。一度ペアリングを行った携帯端末１０と中継装置２０は、次からは自動的に接続されるようになる。【００３０】
中継装置２０の第１の中継側動作環境設定部２１は、携帯端末１０の第１の端末側動作環境設定部２によりブルートゥースによる無線接続の設定が行われる際に、携帯端末１０から無線接続の設定に必要な情報（携帯端末１０の名称やシリアル番号等を含む情報）を取得して、これを中継装置２０に設定する。これにより、携帯端末１０と中継装置２０との間でブルートゥースによるペアリングが行われる。【００３１】
中継装置２０の固有情報送信部２２は、第１の端末側動作環境設定部２および第１の中継側動作環境設定部２１により設定されたブルートゥースの無線接続を利用して、中継装置２０に固有の識別情報（例えば、中継装置２０のシリアル番号またはＭＡＣアドレスなど）を携帯端末１０に送信する。【００３２】
携帯端末１０の固有情報受信部３は、第１の端末側動作環境設定部２および第１の中継側動作環境設定部２１により設定されたブルートゥースの無線接続を利用して、中継装置２０から送信されてくる中継装置２０の識別情報を受信する。【００３３】
携帯端末１０の設定情報生成部４は、固有情報受信部３により受信された中継装置２０の識別情報を暗号化して、携帯端末１０および中継装置２０がＳＩＰサーバ４１に対して無線ルータ２００を介してＷｉ−Ｆｉ（第２の無線規格）で無線接続して通話をするために必要な第２の動作環境設定情報を生成する。ここで生成する第２の動作環境設定情報は、ＳＩＰサーバ４１にアクセスする際に使用するパスワードである。設定情報生成部４は、生成した第２の動作環境設定情報（パスワード）を第２の端末側動作環境設定部５および設定情報送信部６に供給する。【００３４】
携帯端末１０の第２の端末側動作環境設定部５は、設定情報生成部４により生成された第２の動作環境設定情報（パスワード）を携帯端末１０に設定するとともに、第２の動作環境設定情報を通話制御サーバ４００に送信して登録する。このとき、第２の端末側動作環境設定部５は、携帯端末１０の登録ＩＤを生成するとともに、携帯端末１０のＩＰアドレスを取得する。そして、第２の端末側動作環境設定部５は、携帯端末１０の登録ＩＤおよびパスワードを携帯端末１０に設定するとともに、携帯端末１０の登録ＩＤ、ＩＰアドレスおよびパスワードを通話制御サーバ４００に登録する。【００３５】
携帯端末１０に設定された登録ＩＤおよびパスワードは、ＰＵＳＨサーバ４２から送信されたコールバック要求信号に応じて携帯端末１０がＳＩＰサーバ４１に対してコールバックを行う際に使用される。通話制御サーバ４００に登録された携帯端末１０のＩＰアドレスは、ＰＵＳＨサーバ４２が携帯端末１０にコールバック要求信号を送信する際に使用される。また、通話制御サーバ４００に登録された携帯端末１０の登録ＩＤおよびパスワードは、携帯端末１０からＳＩＰサーバ４１にコールバックが行われたときに実行する認証処理に使用される。【００３６】
携帯端末１０の設定情報送信部６は、第１の端末側動作環境設定部２により設定されたブルートゥースの無線接続を利用して、設定情報生成部４により生成された第２の動作環境設定情報（パスワード）を中継装置２０に送信する。中継装置２０の設定情報受信部２３は、設定情報送信部６により送信された第２の動作環境設定情報を受信する。【００３７】
中継装置２０の第２の中継側動作環境設定部２４は、設定情報受信部２３により受信された第２の動作環境設定情報を中継装置２０に設定するとともに、第２の動作環境設定情報を通話制御サーバ４００に送信して登録する。このとき、第２の中継側動作環境設定部２４は、中継装置２０の登録ＩＤを生成するとともに、中継装置２０のＩＰアドレスを取得する。そして、第２の中継側動作環境設定部２４は、中継装置２０の登録ＩＤおよびパスワードを中継装置２０に設定するとともに、中継装置２０の登録ＩＤ、ＩＰアドレスおよびパスワードを通話制御サーバ４００に登録する。【００３８】
中継装置２０に設定された登録ＩＤおよびパスワードは、中継装置２０がＳＩＰサーバ４１にアクセスする際に使用される。通話制御サーバ４００に登録された中継装置２０のＩＰアドレスは、ＳＩＰサーバ４１が中継装置２０にアクセスする際に使用される。また、通話制御サーバ４００に登録された中継装置２０の登録ＩＤおよびパスワードは、中継装置２０からＳＩＰサーバ４１にアクセスが行われたときに実行する認証処理に使用される。【００３９】
通話制御サーバ４００は、携帯端末１０および中継装置２０のそれぞれから登録される登録ＩＤまたはＩＰアドレスに基づいて、親子関係を登録する。すなわち、中継装置２０をコードレス電話の親機、携帯端末１０をコードレス電話の子機として登録する。【００４０】
図３は、上記のように構成した第１の実施形態による携帯端末１０の動作例を示すフローチャートである。また、図４は、上記のように構成した第１の実施形態による中継装置２０の動作例を示すフローチャートである。図３および図４に示すフローチャートは、例えば、携帯端末１０および中継装置２０の電源をオンとし、携帯端末１０のブルートゥース機能を起動させたときに開始する。【００４１】
図３において、携帯端末１０では、まず、コード読取部１が、中継装置２０に貼付または印刷されたコード３０を読み取る（ステップＳ１）。次に、第１の端末側動作環境設定部２は、コード読取部１により読み取られたコード３０を解析し（ステップＳ２）、携帯端末１０が中継装置２０との間でブルートゥースによる無線接続の設定を行うのに必要な第１の動作環境設定情報（中継装置２０の名称やシリアル番号等を含む情報）を取得して、これを携帯端末１０に設定する（ステップＳ３）。【００４２】
また、第１の端末側動作環境設定部２は、中継装置２０が携帯端末１０との間でブルートゥースによる無線接続の設定を行うのに必要な情報（携帯端末１０の名称やシリアル番号等を含む情報）を中継装置２０に送信する（ステップＳ４）。中継装置２０では、図４を用いて後述するように、携帯端末１０から取得した第１の動作環境設定情報を中継装置２０に設定する。これにより、携帯端末１０と中継装置２０との間でペアリングが行われる。【００４３】
その後、固有情報受信部３は、上述のように設定されたブルートゥースの無線接続を利用して、中継装置２０の固有情報送信部２２から送信された中継装置２０の識別情報を受信したか否かを判定する（ステップＳ５）。当該識別情報を受信していない場合は、ステップＳ５の判定を繰り返す。【００４４】
一方、固有情報受信部３が中継装置２０から送信された中継装置２０の識別情報を受信した場合、設定情報生成部４は、受信された中継装置２０の識別情報を暗号化してパスワードを生成する（ステップＳ６）。次に、第２の端末側動作環境設定部５は、携帯端末１０の登録ＩＤを生成して、当該生成した登録ＩＤとパスワードとを携帯端末１０に設定する（ステップＳ７）。【００４５】
さらに、第２の端末側動作環境設定部５は、携帯端末１０のＩＰアドレスを取得して、携帯端末１０の登録ＩＤ、ＩＰアドレスおよびパスワードを通話制御サーバ４００に送信して登録する（ステップＳ８）。その後、設定情報送信部６は、ステップＳ４で設定されたブルートゥースの無線接続を利用して、設定情報生成部４により生成された第２の動作環境設定情報（パスワード）を中継装置２０に送信する（ステップＳ９）。これにより、図３に示すフローチャートの処理を終了する。【００４６】
図４において、中継装置２０では、まず、第１の中継側動作環境設定部２１が、ブルートゥースの無線接続の設定に必要な情報（ステップＳ４で送信された携帯端末１０の名称やシリアル番号等を含む情報）を携帯端末１０から受信したか否かを判定する（ステップＳ１１）。当該情報を受信していない場合は、ステップＳ１１の判定を繰り返す。【００４７】
一方、携帯端末１０からブルートゥースの無線接続の設定に必要な情報を第１の中継側動作環境設定部２１にて受信した場合、第１の中継側動作環境設定部２１は、受信した情報を中継装置２０に設定することにより、携帯端末１０と中継装置２０との間でブルートゥースによるペアリングを行う（ステップＳ１２）。【００４８】
次に、固有情報送信部２２は、設定されたブルートゥースの無線接続を利用して、中継装置２０に固有の識別情報を携帯端末１０に送信する（ステップＳ１３）。その後、設定情報受信部２３は、携帯端末１０の設定情報送信部６により送信された第２の動作環境設定情報（パスワード）を受信したか否かを判定する（ステップＳ１４）。ここで、第２の動作環境設定情報を受信していない場合は、ステップＳ１４の判定を繰り返す。【００４９】
一方、設定情報受信部２３が第２の動作環境設定情報を受信した場合、第２の中継側動作環境設定部２４は、中継装置２０の登録ＩＤを生成して、当該生成した登録ＩＤとパスワードとを中継装置２０に設定する（ステップＳ１５）。さらに、第２の中継側動作環境設定部２４は、中継装置２０のＩＰアドレスを取得して、中継装置２０の登録ＩＤ、ＩＰアドレスおよびパスワードを通話制御サーバ４００に送信して登録する（ステップＳ１６）。これにより、図４に示すフローチャートの処理を終了する。
【００５０】
以上詳しく説明したように、第１の実施形態によれば、カメラを備えた携帯端末１０でコード３０を読み取れば、そのコード３０の読み取りによって携帯端末１０と中継装置２０との間でブルートゥースの無線接続の設定が自動的に行われる。さらに、このように自動設定されたブルートゥースの無線接続を利用して、携帯端末１０および中継装置２０が通話制御サーバ４００に無線ＬＡＮで接続して通話をするために必要なＳＩＰ登録情報の設定が引き続き自動的に行われる。これにより、中継装置２０および通話制御サーバ４００を介して携帯端末１０をコードレス電話の子機として利用するために必要な設定を自動的に行うことができる。【００５１】
（第２の実施形態）
次に、本発明による第２の実施形態を図面に基づいて説明する。第２の実施形態は、携帯端末１０’と中継装置２０’との間おけるブルートゥースの無線接続の設定、および、通話制御サーバ４００に対するＳＩＰ登録情報の設定に加えて、中継装置２０’と無線ルータ２００との間における無線ＬＡＮの接続に関する動作環境も自動的に設定できるようにしたものである。
【００５２】
図５は、第２の実施形態による動作環境設定システムが備える携帯端末１０’および中継装置２０’の機能構成例を示すブロック図である。なお、この図５において、図２に示した符号と同一の符号を付したものは同一の機能を有するものであるので、ここでは重複する説明を省略する。【００５３】
図５に示すように、第２の実施形態による携帯端末１０’は、その機能構成として、設定情報記憶部１１および第２の設定情報送信部１２を更に備えている。また、中継装置２０’は、その機能構成として、第２の設定情報受信部２５および第３の中継側動作環境設定部２６を更に備えている。【００５４】
携帯端末１０’の設定情報記憶部１１は、無線ＬＡＮ（例えば、Ｗｉ−Ｆｉ）で無線接続するために必要な第３の動作環境設定情報を記憶する。第２の実施形態において、第３の動作環境設定情報とは、中継装置２０’が無線ルータ２００を介してＷｉ−Ｆｉによる無線通信をするために必要な情報である。これは、無線ルータ２００から送信されるＳＳＩＤと、無線ルータ２００内で定義した暗号モードおよびパスワードとを含む接続設定情報であり、携帯端末１０’が無線ルータ２００のプロファイルとして既に登録済みの情報である。【００５５】
携帯端末１０’の第２の設定情報送信部１２は、第１の端末側動作環境設定部２および第１の中継側動作環境設定部２１により設定されたブルートゥースの無線接続を利用して、設定情報記憶部１１に記憶されている第３の動作環境設定情報を中継装置２０’に送信する。【００５６】
なお、携帯端末１０’が無線ルータ２００との間でＷｉ−Ｆｉの無線接続を設定する際に、設定情報記憶部１１であるフラッシュメモリの特定の記憶領域に第３の動作環境設定情報（接続設定情報）が記憶されることがあらかじめ決まっている。よって、第２の設定情報送信部１２は、設定情報記憶部１１の特定の記憶領域にアクセスすることにより、第３の動作環境設定情報を取得することが可能である。【００５７】
中継装置２０’の第２の設定情報受信部２５は、第１の端末側動作環境設定部２および第１の中継側動作環境設定部２１により設定されたブルートゥースの無線接続を利用して、第２の設定情報送信部１２により送信された第３の動作環境設定情報を受信する。【００５８】
中継装置２０’の第３の中継側動作環境設定部２６は、第２の設定情報受信部２５により受信された第３の動作環境設定情報（中継装置２０’が無線ルータ２００を介してＷｉ−Ｆｉによる無線通信をするために必要なＳＳＩＤ、暗号モードおよびパスワード等の情報）を取得して、これを中継装置２０’に設定する。これにより、中継装置２０’が無線ルータ２００を介して携帯端末１０’と同一のＷｉ−Ｆｉネットワークに無線接続可能な状態となる。【００５９】
中継装置２０’の第２の中継側動作環境設定部２４は、第３の中継側動作環境設定部２６による第３の動作環境設定情報の設定に基づいて設定された無線ＬＡＮによる無線接続を利用して、設定情報受信部２３により受信された第２の動作環境設定情報を通話制御サーバ４００に送信して登録する。【００６０】
図６は、上記のように構成した第２の実施形態による携帯端末１０’の動作例を示すフローチャートである。また、図７は、上記のように構成した第２の実施形態による中継装置２０’の動作例を示すフローチャートである。図６および図７に示すフローチャートは、例えば、携帯端末１０’および中継装置２０’の電源をオンとし、携帯端末１０’のブルートゥース機能を起動させたときに開始する。
【００６１】
なお、図６において、図３に示したステップ番号と同一のステップ番号を付した部分は同一の処理を実行するものであるので、ここでは重複する説明を省略する。同様に、図７において、図４に示したステップ番号と同一のステップ番号を付した部分は同一の処理を実行するものであるので、ここでは重複する説明を省略する。【００６２】
図６において、ステップＳ４で携帯端末１０’の第１の端末側動作環境設定部２が第１の動作環境設定情報を中継装置２０’に送信してブルートゥースのペリングを行った後、第２の設定情報送信部１２は、設定情報記憶部１１に記憶されている第３の動作環境設定情報（無線ルータ２００のＳＳＩＤ、暗号モードおよびパスワードなど）を読み出す（ステップＳ２１）。そして、読み出した第３の動作環境設定情報を、ステップＳ４で設定されたブルートゥースの無線接続を利用して中継装置２０’に送信する（ステップＳ２２）。その後、処理はステップＳ５に進む。【００６３】
図７において、ステップ１２で第１の中継側動作環境設定部２１が携帯端末１０’から受信した第１の動作環境設定情報を中継装置２０’に設定してブルートゥースのペアリングを行った後、第２の設定情報受信部２５は、携帯端末１０’の第２の設定情報送信部１２により送信された第３の動作環境設定情報を受信したか否かを判定する（ステップＳ３１）。【００６４】
ここで、第３の動作環境設定情報を受信していない場合は、ステップＳ３１の判定を繰り返す。一方、第２の設定情報受信部２５が第３の動作環境設定情報を受信した場合、第３の中継側動作環境設定部２６は、当該受信した第３の動作環境設定情報を第２の設定情報受信部２５から取得して中継装置２０’に設定する（ステップＳ３２）。その後、処理はステップＳ１３に進む。【００６５】
以上詳しく説明したように、第２の実施形態によれば、カメラを備えた携帯端末１０’でコード３０を読み取れば、そのコード３０の読み取りによって携帯端末１０’と中継装置２０’との間でブルートゥースの無線接続の設定が自動的に行われる。また、このように自動設定されたブルートゥースの無線接続を利用して、中継装置２０’でＷｉ−Ｆｉによる無線ＬＡＮ通信をするための設定に必要な情報が携帯端末１０’から中継装置２０’に送信され、当該中継装置２０’の無線接続設定が自動的に行われる。さらに、このように自動設定された無線ＬＡＮの無線接続を利用して、携帯端末１０’および中継装置２０’が通話制御サーバ４００に接続して通話をするために必要なＳＩＰ登録情報の設定が自動的に行われる。これにより、中継装置２０’に無線ＬＡＮの接続設定が行われていない状態においても、中継装置２０’および通話制御サーバ４００を介して携帯端末１０’をコードレス電話の子機として利用するために必要な設定を自動的に行うことができる。【００６６】
（第３の実施形態）
次に、本発明による第３の実施形態を図面に基づいて説明する。第３の実施形態は、２台目の携帯端末１０をコードレス電話の子機として更に登録できるようにしたものである。【００６７】
図８は、第３の実施形態による動作環境設定システム１００”を含むコードレス電話システムの概略構成を示す図である。この図８において、図１に示した符号と同一の符号を付したものは同一の機能を有するものであるので、ここでは重複する説明を省略する。なお、ここでは第１の実施形態に対する変形例として第３の実施形態を説明するが、第２の実施形態に対する変形例として第３の実施形態を適用することも可能である。【００６８】
図８に示すように、第３の実施形態による動作環境設定システム１００”は、２台の携帯端末１０-1，１０-2および中継装置２０を備えている。携帯端末１０-1，１０-2は、例えばスマートフォンやタブレットであり、ブルートゥースによる無線通信機能と、Ｗｉ−Ｆｉ等の無線ＬＡＮによる無線通信機能とを有している。また、携帯端末１０-1，１０-2はカメラを備え、中継装置２０に貼付または印刷されたコード３０や、携帯端末１０-1の画面に表示された第２のコード３１の読み取りを行うことが可能である。【００６９】
第３の実施形態において、携帯端末１０-1，１０-2には、無線ルータ２００を介して無線ＬＡＮにより無線通信をするために必要な情報が既に設定されているものとする。第３の実施形態では、第１の携帯端末１０-1をコードレス電話の１台目の子機として最初に登録し、その後に第２の携帯端末１０-2をコードレス電話の２台目の子機として登録するものとする。第１の携帯端末１０-1を１台目の子機として登録する際の動作は、第１の実施形態または第２の実施形態と同様である。【００７０】
第２の携帯端末１０-2を２台目の子機として登録する際は、第１の携帯端末１０-1の画面に表示された第２のコード３１を第２の携帯端末１０-2において読み取ることによって、登録のための処理を開始する。第２のコード３１は、第１の携帯端末１０-1を子機として登録する際に設定情報生成部４により生成された第２の動作環境設定情報を記録したコードであり、第１の携帯端末１０-1により発行される。【００７１】
図９は、第３の実施形態による動作環境設定システム１００”が備える携帯端末１０-1，１０-2および中継装置２０の機能構成例を示すブロック図である。なお、この図９において、図２に示した符号と同一の符号を付したものは同一の機能を有するものであるので、ここでは重複する説明を省略する。
【００７２】
図９に示すように、第３の実施形態による携帯端末１０-1，１０-2は、その機能構成として、コード生成部１３、認証部１４、第２のコード読取部１５および第３の端末側動作環境設定部１６を更に備えている。コード生成部１３および認証部１４が第１の携帯端末１０-1により実行される機能であり、第２のコード読取部１５および第３の端末側動作環境設定部１６が第２の携帯端末１０-2により実行される機能である。なお、中継装置２０の構成は、図２に示した第１の実施形態と同様である。
【００７３】
コード生成部１３は、設定情報生成部４により生成された第２の動作環境設定情報（第１の携帯端末１０-1が中継装置２０の識別情報を暗号化して生成したパスワード）を記録した第２のコード３１を生成する。ここで生成する第２のコード３１は、第１の携帯端末１０-1のディスプレイに表示可能な画像データとしてのコードである。【００７４】
第２のコード読取部１５は、第２の携帯端末１０-2が備えるカメラ（図示せず）を通じて、コード生成部１３により生成され第１の携帯端末１０-1のディスプレイに表示された第２のコード３１を読み取る。【００７５】
第３の端末側動作環境設定部１６は、第２のコード読取部１５により読み取られた第２のコード３１を解析し、第２の動作環境設定情報（パスワード）を取得する。また、第３の端末側動作環境設定部１６は、上記のパスワードに第２の携帯端末１０-2の登録ＩＤを加えて第２の携帯端末１０-2に設定するとともに、第２の携帯端末１０-2の登録ＩＤ、ＩＰアドレスおよびパスワードを通話制御サーバ４００に送信して登録要求を行う。【００７６】
以上のように、第２の携帯端末１０-2から通話制御サーバ４００に対して登録要求が行われると、通話制御サーバ４００は、第１の携帯端末１０-1に対して認証を要求する。この認証要求は、例えば、第２の携帯端末１０-2から送信されたパスワードを第１の携帯端末１０-1に送信し、パスワードの正当性を確認することによって行う。【００７７】
認証部１４は、上述したパスワードの正当性に関する認証を行う。そして、その認証の結果を通話制御サーバ４００に通知する。認証に成功した場合、通話制御サーバ４００は、第２の携帯端末１０-2から送信された登録ＩＤ、ＩＰアドレスおよびパスワードを正式に登録し、登録が行われたことを第２の携帯端末１０-2に返信する。一方、認証に失敗した場合、通話制御サーバ４００は、登録が行われなかったことを第２の携帯端末１０-2に返信する。【００７８】
以上のように、第３の実施形態では、第２の動作環境設定情報を設定済みの第１の携帯端末１０-1が備えるコード生成部１３により生成された第２のコード３１を、第２の動作環境設定情報が未設定の第２の携帯端末１０-2が備える第２のコード読取部１５により読み取る。これにより、第２の携帯端末１０-2が備える第３の端末側動作環境設定部１６により、第２のコード３１を解析して第２の動作環境設定情報を第２の携帯端末１０-2に設定するとともに、当該第２の動作環境設定情報を通話制御サーバ４００に送信して登録する。このとき、第２の携帯端末１０-2の登録ＩＤおよびＩＰアドレスもあわせて登録する。このような動作により、カメラを備えた第２の携帯端末１０-2で第２のコード３１を読み取るだけで、第２の携帯端末１０-2をコードレス電話の子機として利用するために必要な設定を自動的に行うことができる。【００７９】
なお、上記第１〜第３の実施形態では、携帯端末１０，１０’，１０-1，１０-2の一例としてスマートフォンまたはタブレットを挙げて説明したが、これに限定されない。携帯端末１０，１０’，１０-1，１０-2は、ブルートゥースによる無線通信機能と、Ｗｉ−Ｆｉによる無線ＬＡＮ通信機能と、コードの読取機能とを有しているものであれば、スマートフォンまたはタブレット以外の電子機器であってもよい。【００８０】
また、上記第１〜第３の実施形態で説明した中継装置２０，２０’は、ブルートゥースによる無線通信機能と、Ｗｉ−Ｆｉによる無線ＬＡＮ通信機能とを有しているものであれば、どのような電子機器であってもよい。例えば、中継装置２０，２０’は、眼鏡型、腕時計型、リストバンド型などのウェアラブル機器であってもよい。【００８１】
また、上記第１〜第３の実施形態では、携帯端末１０，１０’，１０-1，１０-2と中継装置２０，２０’との間をブルートゥースにより接続する例について説明したが、ブルートゥース以外の無線通信技術（例えば、ZigBeeなど）を適用してもよい。【００８２】
また、上記第１〜第３の実施形態では、携帯端末１０，１０’，１０-1，１０-2のカメラで中継装置２０のコード３０（媒体の一例）を読み取ることによって、ブルートゥースの接続設定を自動的に行う例について説明したが、本発明はこれに限定されない。例えば、ＮＦＣ（Near Field Communication）などの近距離無線通信手段を用いて、中継装置２０に備えられたタグ（媒体の他の例）を携帯端末１０，１０’，１０-1，１０-2のＮＦＣリーダ（特許請求の範囲の読取部に相当）で読み取ることによって、ブルートゥースの接続設定を自動的に行うようにしてもよい。【００８３】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８４】
１０，１０’，１０-1，１０-2  携帯端末
１  コード読取部（読取部）
２  第１の端末側動作環境設定部
３  固有情報受信部
４  設定情報生成部
５  第２の端末側動作環境設定部
６  設定情報送信部
１１  設定情報記憶部
１２  第２の設定情報送信部
１３  コード生成部
１４  認証部
１５  第２のコード読取部
１６  第３の端末側動作環境設定部
２０，２０’  中継装置
２１  第１の中継側動作環境設定部
２２  固有情報送信部
２３  設定情報受信部
２４  第２の中継側動作環境設定部
２５  第２の設定情報受信部
２６  第３の中継側動作環境設定部
３０  コード（媒体）
３１  第２のコード
４１  ＳＩＰサーバ
４２  ＰＵＳＨサーバ
１００，１００”  動作環境設定システム
２００  無線ルータ
３００  固定電話回線
４００  通話制御サーバ
【要約】
携帯端末（１０）でコード（３０）を読み取るだけで、固定電話回線（３００）に接続する中継装置（２０）に対し、携帯端末（１０）をコードレス電話の子機として利用するために必要な設定が自動的に行われるようにする。携帯端末（１０）は、読み取ったコード（３０）を解析することにより、中継装置（２０）とブルートゥースによるペアリングに必要な情報を取得して、携帯端末（１０）に設定する。携帯端末（１０）は、通話制御サーバ（４００）に無線ＬＡＮで接続して通話をするために必要な登録ＩＤとパスワードを生成し、生成した登録ＩＤとパスワードを自身に設定するとともに、通話制御サーバ（４００）に登録する。携帯端末（１０）は、ブルートゥース接続を利用して、登録ＩＤとパスワードを中継装置（２０）に送信する。中継装置（２０）は、受信した登録ＩＤとパスワードを自身に設定するとともに、通話制御サーバ（４００）に登録する。【図１】
0005877283.tif 000002
【図２】
0005877283.tif 000003
【図３】
0005877283.tif 000004
【図５】
0005877283.tif 000005
【図６】
0005877283.tif 000006
【図８】
0005877283.tif 000007
【図９】
0005877283.tif 000008
【図４】
0005877283.tif 000009
【図７】
0005877283.tif 000010